(57)【要約】
【課題】  スティック状物であっても取り出しやすく、立てて陳列してもスティック状物が倒れ出ることのない包装箱を提供することを課題とする。
【解決手段】  多数のスティック状物を詰納する紙製の包装箱において、内部に詰納されるスティック状物の一端が位置する包装用箱１０の上面一端縁１２に沿う位置と、同スティック状物の他端が位置する他端縁１３から所要幅の固定面１４を区画する位置とにミシン目等からなる切離線１５，１６を施すとともに、前記包装用箱の一側面１７に前記各切離線１５，１６に連なる開封用切離線１８，１８を施してなり、前記一側面１７の開封用切離線から前記上面の各切離線１５，１６を切開することにより切離された部分が蓋片２１となって前記固定面１４を残し他側の一端縁１２に至る全域が開放されるようにしたことにある。
【選択図】  図１
0003101065.tif 000002
【実用新案登録請求の範囲】
【請求項１】
多数のスティック状物を詰納する紙製の包装箱において、内部に詰め納されるスティック状物の一端が位置する包装用箱の上面一端縁に沿う位置と、同スティック状物の他端が位置する他端縁から所要幅の固定面を区画する位置とにミシン目等からなる切離線を施すとともに、前記包装用箱の一側面に前記各切離線に連なる開封用切離線を施してなり、前記一側面の開封用切離線から前記上面の各節離線を切開することにより切離された部分が蓋片となって前記固定面を残し他側の一端縁に至る全域が開放されるようになされていることを特徴とするスティック状物包装箱。
【請求項２】
前記スティック状物が棒状の菓子を包装した個装である請求項１記載のスティック状物包装箱。
【考案の詳細な説明】
【技術分野】
【０００１】
本考案は菓子類の包装箱に係り、特にスティック状の菓子箱として最適な包装箱に関する。
【背景技術】
【０００２】
飴やチョコレート、その他の菓子が個々に包装された包装物（以下個装という）を多数詰納し、販売に供されるものがある。
【０００３】
上記のような包装箱は、収納されている個装を取り出すことができるようにするため、包装箱の一面がミシン目により切離して開封し、必要個数の個装を取出したあと再び切離した部分を蓋として閉じておけるようになされたものが一般に用いられるようになっている。
【０００４】
従来から用いられている上記類の包装箱は図３（Ａ）〜（Ｃ）に示すいずれかの構造となっている。
【０００５】
すなわち図３（Ａ）に示す包装箱１Ａは、縦置き型のもので、包装箱１Ａの一面の上部および下部に所要高さの縁部２，３を残す位置の幅方向にミシン目が施され、このミシン目で切離することにより上下のミシン目間の部分４が横開き状に開いて内部の個装を取り出せるようになされたもの（横開き式）である。
【０００６】
図３（Ｂ）に示す包装箱１Ｂは、扁平な平箱型のもので、その一面の両端に均等幅の縁部５，５を残す位置の全幅と側面６の一部とにわたってミシン目が施され、このミシン目で切離することにより側面６の一部を含んだ蓋片７によって開閉し、内部の個装を取り出せるようになされたもの（トップオープン式）である。
【０００７】
さらに図３（Ｃ）に示す包装箱１Ｃは、その一面全面が蓋片８として開閉することができるもので、古くから使用されている小箱である。
【考案の開示】
【考案が解決しようとする課題】
【０００８】
しかして上記いずれの包装箱１Ａ，１Ｂ，１Ｃにおいても、詰納されている個装が飴玉のように小粒のものであれば蓋片４，７，８を開けて個装を取り出すのに支障はないが、図３（Ａ）〜（Ｃ）に例示しているような細長い個装（スティック状のチョコレートやウエハス等を包装したもの）の場合には問題が生じる。
【０００９】
すなわち図３（Ａ）および（Ｂ）に示した包装箱１Ａ，１Ｂでは、スティック状の個装９の両端が包装箱１Ａ，１Ｂの縁部２，３および５，５の内側に位置するので、取り出しの障害となり、勢い一方の縁部３または５を破断して取り出すことになり、必要枚数取り出したあと蓋片４，７を閉じて残りの個装を保存しようとしても包装箱１Ａ，１Ｂの形態が崩れて体裁を著しく損なうものとなる。
【００１０】
図３（Ｃ）に示した包装箱１Ｃでは、個装がスティック状であってもその取り出しには支障は生じないが、図示のように立てて置いたときスティック状の個装９が倒れ出てしまい、この姿勢で目立つように陳列することができないという問題がある。
【００１１】
本考案は、個装がスティック状であっても取り出しやすく、立てて陳列してもスティック状物が倒れ出ることのない包装箱を提供することを課題としてなされたものである。
【課題を解決するための手段】
【００１２】
上記課題を解決する手段として本考案は、多数のスティック状物を詰納する紙製の包装箱において、内部に詰納されるスティック状物の一端が位置する包装用箱の上面一端縁に沿う位置と、同スティック状物の他端が位置する他端縁から所要幅の固定面を区画する位置とにミシン目等からなる切離線を施すとともに、前記包装用箱の一側面に前記各切離線に連なる開封用切離線を施してなり、前記一側面の開封用切離線から前記上面の各切離線を切開することにより切離された部分が蓋片となって前記固定面を残し他側の一端縁に至る全域が開放されるようにしたことにある。
【００１３】
これにより各切離線を切離して蓋片を開ければ、詰納されているスティック状物の一端側は固定面で覆われた内部に位置し、スティック状物の他端側は固定面とは反対端の全面が開放された他端部に露出しておかれているので、スティック状物を取り出すとき開放面側の端部をつまんで取り出せば何ら取り出しが妨げられることがなく、簡単に取り出すことができる。
【００１４】
また固定面側を下端として包装用箱を立てて置けば、固定面の内部がポケット状となってスティック状物を立位姿勢に保つことができ、その姿勢におかれるスティック状物の上方を持って引き出せば容易に取り出すことができる。
【００１５】
必要数のスティック状物を取り出したのちは、切離により形成された蓋片を閉じておくことにより内部を隠蔽しておくことができる。
【００１６】
上記スティック状物が棒状の菓子を包装した個装であるときは、その個装の取り出しを容易とすることができ、従来にないスティック状菓子の包装箱を得ることができる。
【考案の効果】
【００１７】
以上説明したように本考案によれば、スティック状物を詰め納しても、その取り出し時にスティック状物の一端側は全開されているので取り出しの妨げとなるものがなく、スティック状物の反対端は固定面部分で保持されているので詰納状態が乱れることなく整然とした状態に収納しておくことができる。
【００１８】
また固定面側を下側にして包装用箱を立てて置けば、固定面内がポケットによってスティック状物を立位姿勢で保持することができ、それでいてスティック状物を取り出す際にはその上端を拘束しているものが全くないので至極取り出しやすいものとすることができる。
【考案を実施するための最良の形態】
【００１９】
以下、本考案を図面に示す実施の形態を参照して説明する。
【００２０】
図１は本考案によるスティック状物包装箱の開封前の状態を、図２は同開封した状態をそれぞれ斜視図で示している。
【００２１】
図示の包装用箱１０は、板紙で横長扁平状に形成した場合を示しており、この包装用箱１０の長手方向（図では左右方向）に、スティック状の菓子を包装したスティック状個装１１，１１…が詰納されている。
【００２２】
前記包装用箱１０の上面の一端縁１２に沿う位置と、上面の他端縁１３から所要幅Ｌの固定面１４を区画する位置とにミシン目からなる切離線１５，１６が包装用箱１０の上面の奥行き方向全長にわたって形成されており、包装用箱１０の一側面１７には前記切離線１５，１６に連なる開封用切離線１８，１８が形成されている。
【００２３】
この開封用切離線１８，１８は正面視浅いＶ形状に形成され、その開封用切離線１８，１８の下端ｖはつまみ部１９となる角形部分が一側面１７の下縁２０に至るよう切離自在に形成されており、これら切離線１５，１６，１８，１８で切削したとき蓋片２１となるように形成されている。
【００２４】
前記のつまみ部１９は、切離線を破断したのち再び蓋片２１を閉じたとき、一側面１７に形成された切り込み部２２に差し込むことにより閉じ状態を保つようになっている。
【００２５】
次に上記実施形態の作用を説明する。
【００２６】
蓋片２１を開封しない状態では、図１に示すように箱状の箱詰め商品として店頭に並べて販売に供される。
【００２７】
購入後、各切離線１５，１６，１８，１８を切離して蓋片２１を図２のように開ければ、詰納されているスティック状の個装１１，１１…の一端側は固定面１４で覆われた内部に位置し、他端側は固定面１４とは反対端の全面が開放された端縁１２に露出しておかれているので、その個装１１の端部をつまんで取り出せば、何ら取り出しを妨げるものがなく簡単に取り出すことができる。
【００２８】
必要数のスティック状個装１１を取り出したのちは、切離により形成された蓋片２１を閉じ、そのつまみ部１９を側面１７の切り込み部２２に差し込むことにより妄りに開かぬよう閉止した状態を保っておくことができる。
【００２９】
前記固定面１４側を下側として包装用箱１０を立てて置けば、固定面１４の内部がポケットとなってスティック状個装１１，１１…を立位姿勢に保って置くことができ、その姿勢におかれるスティック状個装１１の上方を持って引き出せば容易に取り出すことができる。
【００３０】
なお前記開封用切離線１８，１８を設ける形態は、図示の例に限らず、包装用箱１０のデザインとの兼ね合いにより任意の形態を選択することができる。またスティック状物としては個装としない棒状の菓子をそのまま包装用箱１内に詰納したものであってもよく、さらに菓子以外の棒状物の包装用としても使用し得ることはもちろんである。
【図面の簡単な説明】
【００３１】
【図１】本考案によるスティック状物包装箱の一実施形態の開封前の形態を示す斜視図。
【図２】同、開封した状態を示す斜視図。
【図３】（Ａ）〜（Ｃ）は従来のスティック状物包装箱を示す開封状態の斜視図。
【符号の説明】
【００３２】
１Ａ，１Ｂ，１Ｃ  従来の包装箱
２，３，５  縁部
４，７，８  蓋片
９  スティック状物
１０  本考案における包装用箱
１１  スティック状物としてのスティック状個装
１４  固定面
１５，１６  切離線
１７  側面
１８  開封用切離線
１９  つまみ部
２１  蓋片
２２  切り込み部
【図１】
0003101065.tif 000003
【図２】
0003101065.tif 000004
【図３】
0003101065.tif 000005